(57)【要約】      （修正有）【課題】パーソナルカラーについて診断の誤差を少なくし、普遍的な診断を効率的に行うためのパーソナルカラー診断用具を提供する。【解決手段】被診断者の上半身にあてがいパーソナルカラーを診断するためのフラッグを複数枚備えたフラッグセットであって、各フラッグは経帯を緯方向に配列してなり、フラッグを構成する複数の経帯はフラッグ毎に定めた特定の領域に属する複数の色を呈することを特徴とするパーソナルカラー診断用フラッグセット。【選択図】図１６
2018013409.tif 000002
【特許請求の範囲】
【請求項１】
被診断者の上半身にあてがいパーソナルカラーを診断するためのフラッグを複数枚備えたフラッグセットであって、各フラッグは経帯を緯方向に配列してなり、フラッグを構成する複数の経帯はフラッグ毎に定めた特定の領域に属する複数の色を呈することを特徴とするパーソナルカラー診断用フラッグセット。
【請求項２】
１枚のフラッグを構成する複数の経帯が、マンセル表色系において、色相値５ＰＢ〜５Ｐ及び５ＲＰ〜５Ｒ、明度３〜８の領域に属する複数の色を呈することを特徴とする請求項１記載のパーソナルカラー診断用フラッグセット。
【請求項３】
１枚のフラッグを構成する複数の経帯が、マンセル表色系において、色相値５Ｒ〜５Ｙ及び５ＧＹ〜５Ｇ、明度３〜８の領域に属する複数の色を呈することを特徴とする請求項１記載のパーソナルカラー診断用フラッグセット。
【請求項４】
１枚のフラッグを構成する複数の経帯が、マンセル表色系において、色相値５Ｒ〜５Ｙ、明度２〜９、彩度１〜１４の領域に属する複数の色を呈することを特徴とする請求項１記載のパーソナルカラー診断用フラッグセット。
【請求項５】
１枚のフラッグを構成する複数の経帯が、マンセル表色系において、色相値５Ｂ〜５Ｒ、明度２〜９、彩度１〜１４の領域に属する複数の色を呈することを特徴とする請求項１記載のパーソナルカラー診断用フラッグセット。
【請求項６】
１枚のフラッグを構成する複数の経帯が、マンセル表色系において、色相値５Ｒ〜５Ｙ、明度２〜９、彩度１〜１４の領域に属する複数の色を呈することを特徴とする請求項１記載のパーソナルカラー診断用フラッグセット。
【請求項７】
１枚のフラッグを構成する複数の経帯が、マンセル表色系において、色相値５ＰＢ〜５Ｒ、明度２〜９、彩度１〜１４の領域に属する複数の色を呈することを特徴とする請求項１記載のパーソナルカラー診断用フラッグセット。
【請求項８】
１枚のフラッグを構成する複数の経帯が、マンセル表色系において、明度５〜９．５、彩度０．５〜１２の領域に属する複数の色を呈することを特徴とする請求項１記載のパーソナルカラー診断用フラッグセット。
【請求項９】
１枚のフラッグを構成する複数の経帯が、マンセル表色系において、明度３〜７、彩度５〜１２の領域に属する複数の色を呈することを特徴とする請求項１記載のパーソナルカラー診断用フラッグセット。
【請求項１０】
１枚のフラッグを構成する複数の経帯が、マンセル表色系において、明度２〜６、彩度１〜６の領域に属する複数の色を呈することを特徴とする請求項１記載のパーソナルカラー診断用フラッグセット。
【請求項１１】
１枚のフラッグを構成する複数の経帯が、マンセル表色系において、明度１〜４、彩度０〜５の領域に属する複数の色を呈することを特徴とする請求項１記載のパーソナルカラー診断用フラッグセット。
【請求項１２】
被診断者の上半身にあてがうことにより２枚のフラッグを対比し、被診断者に調和するいずれかのフラッグを選定する操作を繰り返すことにより、最終的に選定したフラッグに示される複数の色を被診断者のパーソナルカラーとして診断することを特徴とする、請求項１乃至１１のいずれかに記載のパーソナルカラー診断用フラッグセットを利用したパーソナルカラー診断方法。
【発明の詳細な説明】
【技術分野】
【０００１】
本発明は、診断対象者のパーソナルカラーを特定するために使用するパーソナルカラー診断用フラッグセット及びこれを用いたパーソナルカラー診断方法に関する。
【背景技術】
【０００２】
パーソナルカラーは、客観的な診断により判定されたその人に似合う色である。人は、各人毎に髪、瞳、肌の色が異なることから、各人毎に似合う色、すなわちパーソナルカラーが異なる。パーソナルカラーはその人の魅力を引き出すことができる色である一方、その人の好みの色とは必ずしも一致しないことから、客観的な診断により自らのパーソナルカラーを知ることは重要である。パーソナルカラーは、他人に好印象を与えることができる色であるため、化粧品、ファッション、アクセサリーを購入する際、色の参考情報として広く活用することができる。
【０００３】
パーソナルカラーの診断方法としては、単色の色を呈したドレープといわれる布やボードを色相、明度、彩度の観点から複数枚用意し、各色のドレープを被診断者の上半身にあてがい、ドレープの色を変えるごとに被診断者の顔色の変化を観察し、複数のドレープのうち相対的に顔色が良く見える色を選別する方法があるが、一色毎に観察を行うとすると多大な時間と労力を要することとなる。このため、より効率的な診断を行うための診断方法として、予め複数の色をグループに分けて、どのグループの色が被診断者にもっとも適しているかを判断する診断方法がある。
【０００４】
近年では、診断用の複数の色を４つのグループに分けて春・夏・秋・冬と呼称し、フォーシーズン分類としてそれぞれの季節のイメージを用いて診断する方法がある。診断用の複数の色を、色相、明度、彩度の観点から４つのグループに分け、４つのグループの区分に従って被診断者と色の対比をし、被診断者に調和する色が４つのグループのうちいずれのグループに多く属するかによって、被診断者のグループを決める。被診断者は、グループが決定されると、以降はそのグループに属する色をパーソナルカラーとして認識することができる。
【０００５】
しかしながら、フォーシーズン分類法では、複数の色が予め４つのグループに分けられ、グループごとに調和する色を診断するため、主観的に全体的なイメージをつかみやすい反面、イメージにとらわれて似合う色の診断を誤ってしまうことがある。また、グループごとの季節のイメージで色を特徴付ける傾向があるため、色ごとの微妙なニュアンスを論理的に明確に区別することが難しいという問題がある。
【０００６】
このため、複数の色を適切なグループに分類し、効率的な診断を可能としながら、診断の誤差を少なくし、パーソナルカラーついて普遍的な診断するためのパーソナルカラー診断用具及びパーソナルカラー診断方法の開発が求められる。
【０００７】
【特許文献１】特開２００１−３３３１２号公報
【発明の開示】
【発明が解決しようとする課題】
【０００８】
本発明は、パーソナルカラーについて診断の誤差を少なくし、普遍的な診断を効率的に行うためのパーソナルカラー診断用具及びパーソナルカラー診断方法を提供することを課題とする。
【課題を解決するための手段】
【０００９】
前記課題を解決するために本発明者が検討を行った結果、フラッグ毎に定めた特定の領域から選ばれる異なる色で着色した複数の経帯を緯方向に配列してなるフラッグを複数枚備え、これらを被診断者の上半身に順次あてがうことにより適正なパーソナルカラーを効率的に診断できることを見出し、本発明を完成するに至った。
【００１０】
すなわち本発明は、被診断者の上半身にあてがいパーソナルカラーを診断するためのフラッグを複数枚備えたフラッグセットであって、各フラッグは経帯を緯方向に配列してなり、フラッグを構成する複数の経帯はフラッグ毎に定めた特定の領域に属する複数の色を呈することを特徴とするパーソナルカラー診断用フラッグセットである。
【００１１】
さらに本発明は、１枚のフラッグを構成する複数の経帯が、マンセル表色系において、色相値５ＰＢ〜５Ｐ及び５ＲＰ〜５Ｒ、明度３〜８の領域に属する複数の色を呈することを特徴とするパーソナルカラー診断用フラッグセットである。該１枚のフラッグは、ブルーカラー診断用フラッグと称することができる。
【００１２】
また本発明は、１枚のフラッグを構成する複数の経帯が、マンセル表色系において、色相値５Ｒ〜５Ｙ及び５ＧＹ〜５Ｇ、明度３〜８の領域に属する複数の色を呈することを特徴とするパーソナルカラー診断用フラッグセットである。該１枚のフラッグは、イエローカラー診断用フラッグと称することができる。
【００１３】
また本発明は、１枚のフラッグを構成する複数の経帯が、マンセル表色系において、色相値５Ｒ〜５Ｙ、明度２〜９、彩度１〜１４の領域に属する複数の色を呈することを特徴とするパーソナルカラー診断用フラッグセットである。該１枚のフラッグは、スプリングカラー診断用フラッグと称することができる。
【００１４】
また本発明は、１枚のフラッグを構成する複数の経帯が、マンセル表色系において、色相値５Ｂ〜５Ｒ、明度２〜９、彩度１〜１４の領域に属する複数の色を呈することを特徴とするパーソナルカラー診断用フラッグセットである。該１枚のフラッグは、サマーカラー診断用フラッグと称することができる。
【００１５】
また本発明は、１枚のフラッグを構成する複数の経帯が、マンセル表色系において、色相値５Ｒ〜５Ｙ、明度２〜９、彩度１〜１４の領域に属する複数の色を呈することを特徴とするパーソナルカラー診断用フラッグセットである。該１枚のフラッグは、オータムカラー診断用フラッグと称することができる。
【００１６】
また本発明は、１枚のフラッグを構成する複数の経帯が、マンセル表色系において、色相値５ＰＢ〜５Ｒ、明度２〜９、彩度１〜１４の領域に属する複数の色を呈することを特徴とするパーソナルカラー診断用フラッグセットである。該１枚のフラッグは、ウインターカラー診断用フラッグと称することができる。
【００１７】
また本発明は、１枚のフラッグを構成する複数の経帯が、マンセル表色系において、明度５〜９．５、彩度０．５〜１２の領域に属する複数の色を呈することを特徴とするパーソナルカラー診断用フラッグセットである。該１枚のフラッグは、クリアカラー診断用フラッグと称することができる。
【００１８】
また本発明は、１枚のフラッグを構成する複数の経帯が、マンセル表色系において、明度３〜７、彩度５〜１２の領域に属する複数の色を呈することを特徴とするパーソナルカラー診断用フラッグセットである。該１枚のフラッグは、ブライトカラー診断用フラッグと称することができる。
【００１９】
また本発明は、１枚のフラッグを構成する複数の経帯が、マンセル表色系において、明度２〜６、彩度１〜６の領域に属する複数の色を呈することを特徴とするパーソナルカラー診断用フラッグセットである。該１枚のフラッグは、ミューテッドカラー診断用フラッグと称することができる。
【００２０】
また本発明は、１枚のフラッグを構成する複数の経帯が、マンセル表色系において、明度１〜４、彩度０〜５の領域に属する複数の色を呈することを特徴とするパーソナルカラー診断用フラッグセットである。該１枚のフラッグは、ディープカラー診断用フラッグと称することができる。
【００２１】
さらに本発明は、被診断者の上半身にあてがうことにより２枚のフラッグを対比し、被診断者に調和するいずれかのフラッグを選定する操作を繰り返すことにより、最終的に選定したフラッグに示される複数の色を被診断者のパーソナルカラーとして診断することを特徴とする、前記のパーソナルカラー診断用フラッグセットを利用したパーソナルカラー診断方法である。
【発明の効果】
【００２２】
本発明のパーソナルカラー診断用フラッグセット及びこれを用いたパーソナルカラー診断方法によれば、パーソナルカラーの診断において誤差を少なくし、普遍的な診断を効率的に行うことが可能となる。
【００２３】
被診断者の上半身にあてがい、２枚のフラッグを対比しながら被診断者に調和するフラッグをいずれか１枚選定するという操作を段階を経て複数回行うことにより最終的に選定したフラッグに着色された色彩をもって、被診断者のパーソナルカラーを客観的に診断することができる。
【図面の簡単な説明】
【００２４】
【図１】従来のフォーシーズン分類表
【図２】従来のフォーシーズン分類のスプリングの色群
【図３】従来のフォーシーズン分類のサマーの色群
【図４】従来のフォーシーズン分類のオータムの色群
【図５】従来のフォーシーズン分類のウインターの色群
【図６】ブルーカラー診断用フラッグの色群
【図７】イエローカラー診断用フラッグの色群
【図８】クリアカラー診断用フラッグの色群
【図９】ブライトカラー診断用フラッグの色群
【図１０】ミューテッドカラー診断用フラッグの色群
【図１１】ディープカラー診断用フラッグの色群
【図１２】スプリングカラー診断用フラッグの色群
【図１３】サマーカラー診断用フラッグの色群
【図１４】オータムカラー診断用フラッグの色群
【図１５】ウインターカラー診断用フラッグの色群
【図１６】パーソナルカラー診断用フラッグセットのイメージ図
【図１７】パーソナルカラー診断方法を示す模式図
【発明を実施するための形態】
【００２５】
以下、本発明に係る実施の形態について説明するが、本実施の形態における例示が本発明を限定することはない。
【００２６】
通常、パーソナルカラーの診断では、ドレープといわれる単一色で着色された布地やボードを被診断者の上半身にあてがい、ドレープの色と被診断者の顔色(肌、髪、瞳などの色)との調和を観察する。このドレープは異なる色で複数枚用意され、各ドレープを被診断者に順にあてがいながら、被診断者の顔色に調和する色のドレープを選定する。
【００２７】
一般に被診断者の顔色(肌、髪、瞳の色)に調和する色は、単一色に絞られることはなく、複数色にわたることが多い。これらの被診断者の顔色に調和する複数の色を論理的に分析し、調和する色の傾向を捉えることにより、これら複数の色を同じような色の属性に分類することができる。そして、この色の属性の範囲から色を選ぶことで、被診断者のパーソナルカラーを診断することができる。また、この色の属性をカラーパレットなどで分類しておけば、パーソナルカラーを簡単に認識することができる。
【００２８】
近年、日本人の顔色(肌、髪、瞳の色)に調和する色は、４つのグループに分けることができると考えられ、診断用の複数の色を４つのグループに分けて春(スプリング)・夏(サマー)・秋(オータム)・冬(ウインター)と呼称し、フォーシーズン分類法としてそれぞれの季節のイメージを用いて診断する方法がある(図１)。診断用の複数の色を、色相、明度、彩度の観点から４つのグループに分け、４つのグループの区分に従って被診断者の顔色と対比し、被診断者に調和する色が４つのグループのうちいずれのグループに多く属するかによって、被診断者のグループを決める。被診断者は、グループが決定されると、その後はそのグループに属する色をパーソナルカラーとして活用することができる。
【００２９】
しかしながら、フォーシーズン分類法は、パーソナルカラーの診断に用いられる１６０色を４０色毎に４つのグループに予め分類しておき、グループごとに調和する色を診断するため、主観的に全体的なイメージをつかみやすい反面、イメージにとらわれて似合う色の診断を誤ってしまうことがある。また、グループごとの季節のイメージで色を特徴付ける傾向があるため、色ごとの微妙なニュアンスを論理的に明確に区別することが難しいという問題がある。
【００３０】
本発明のパーソナルカラー診断用フラッグセットは、パーソナルカラーについて診断の誤差を少なくし、普遍的な診断を効率的に行うための診断ツールである。被診断者の上半身にあてがい、２枚のフラッグを対比しながら被診断者に調和するフラッグをいずれか１枚選定する。そして、このような２枚のフラッグのいずれかを選定するという操作を複数回行うことにより最終的に選定したフラッグに着色された色をもって、被診断者のパーソナルカラーと診断することができる。
【００３１】
パーソナルカラー診断用フラッグセットは、フラッグ毎に定めた特定の領域から選ばれる異なる色で着色した複数の経帯を緯方向に配列してなるフラッグを複数枚備えることを特徴とする。
【００３２】
各フラッグは、幅２ｃｍ、長さ３０ｃｍの異なる色の布地を経帯として、緯方向に２５枚縫い合わせたものであり、横５０ｃｍ、縦３０ｃｍの大きさとする。このような大きさのフラッグは、左右の上端を両肩に位置するようにして被診断者の上半身にあてがうことができるため、２５色を一度に被診断者の顔色(肌、髪、瞳の色)と比較することできる。
【００３３】
フラッグを構成する複数の経帯はフラッグ毎に定めた特定の領域に属する複数の色を呈する。フラッグの経帯２５色のすべてを特定の領域に属する色とすることは必ずしも必要でなく、全体的なイメージを損なわない範囲であれば、フラッグの見栄えや流行色等を考慮し、領域外の色を適宜用いることもできる。領域外の色を用いる場合は、用いる色により異なるが、フラッグのイメージを維持するため１０色以内とし、特に５色以内とすることが好ましい。フラッグは、パーソナルカラー診断用フラッグセットとして１０枚が用意される。
【００３４】
「色みの診断」
一般に、日本人の肌色は、マンセル表色系において色相１０Ｒ〜１０ＹＲ、髪色は、１０Ｐ〜５ＹＲ、明度２以下、彩度０．５以下であり、瞳の色は茶色から黒であることから、これに調和する色としては、ブルーの要素を含むブルードミナントとイエローの要素を含むイエロードミナントに大きく分類することができる。
【００３５】
所謂、ピンク肌はマンセル色相２．５ＹＲ、オークル肌はマンセル色相７．５ＹＲに近い。ピンク肌の２．５ＹＲはマンセル色相で赤よりとなり色対比により青みがかる。オークル肌の７．５ＹＲはマンセル色相で黄色よりとなり色対比にて黄みがかる。このため、ピンク肌とオークル肌については、ピンク肌がブルードミナント、オークル肌がイエロードミナントに分類することができる。
【００３６】
ブルードミナントカラーを診断するブルーカラー診断用フラッグの複数の色は、マンセル色相５ＰＢ〜５Ｐ及び５ＲＰ〜５Ｒ、マンセル明度３〜８の中明度の領域に属し、イエロードミナントカラーを診断するイエローカラー診断用フラッグの複数の色は、マンセル色相５Ｒ〜５Ｙ及び５ＧＹ〜５Ｇ、マンセル明度３〜８の中明度の領域に属する。
【００３７】
フラッグにおける２５色は、端から順にマンセル色相環において右回り(あるいは左周り)となるように配置することが好ましい。このように配置することによりフラッグごとの色の特性を把握しやすくなり、診断を迅速かつ的確に行うことができる。
【００３８】
ブルーカラー診断用フラッグは、従来のフォーシーズン分類におけるサマーに属する４０色(図３)とウインターに属する４０色(図５)の中で比較的青みが強い色に相当する(図６)。また、イエローカラー診断用フラッグは、フォーシーズン分類におけるスプリングに属する４０色(図２)とオータムに属する４０色(図４)の中で比較的黄みが強い色に相当する(図７)。
【００３９】
「明るさの診断」
肌の明るさの診断には明度と彩度の異なる４枚のフラッグを使用する。４枚のフラッグは、高明度中彩度の色を配したクリアカラー診断用フラッグと、中明度中彩度の色を配したブライトカラー診断用フラッグと、低明度低彩度の色を配したミューテッドカラー診断用フラッグと、極低明度（近無彩色）低彩度の色を配したディープカラー診断用フラッグにより構成される。これらのフラッグを使用することにより、被診断者の肌の明るさやくすみ具合に応じたパーソナルカラーを診断することができる。
【００４０】
クリアカラー診断用フラッグに示される色は、４枚のフラッグのうち最も高明度中彩度の色からなり、マンセル明度５〜９．５、マンセル彩度０．５〜１２に位置する色を多く含む(図８)。クリアカラーは、従来のフォーシーズン分類におけるスプリングに属する４０色(図２)とサマーに属する４０色(図３)の中で高明度高中彩度となる色に相当する。クリアカラー診断用フラッグは、色白の被診断者に調和する。
【００４１】
ブライトカラー診断用フラッグに示される色は、中明度中彩度の色からなり、マンセル明度３〜７、マンセル彩度５〜１２に位置する色を多く含む(図９)。ブライトカラーは、従来のフォーシーズン分類におけるスプリングに属する４０色(図２)とウインターに属する４０色(図５)の中で高中明度高中低彩度となる色に相当する。ブライトカラー診断用フラッグは、明清色、暗清色を多く含むことから、被診断者の肌、瞳のコントラストを診断するのに適する。
【００４２】
ミューテッドカラー診断用フラッグに示される色は、低明度低彩度の色からなり、マンセル明度２〜６、マンセル彩度１〜６に位置する色を多く含む(図１０)。フォーシーズン分類におけるサマーに属する４０色(図３)とオータムに属する４０色(図４)の中で低中明度低中彩度となる色に相当する。ミューテッドカラー診断用フラッグは、暗濁色を多く含むことから、肌のくすみ感を診断するのに適する。
【００４３】
ディープカラー診断用フラッグに示される色は、極低明度極低彩度の色からなり、マンセル明度1〜４、マンセル彩度０〜５に位置する色を多く含む(図１１)。フォーシーズン分類におけるオータムに属する４０色(図４)とウインターに属する４０色(図５)の中で低明度低彩度となる色に相当する。ディープカラー診断用フラッグは、暗清色、暗濁色を多く含むことから、全体的に色素の濃い被診断者に調和する。
【００４４】
「シーズンカラーの診断」
日本に導入され３０年以上が経過する従来のフォーシーズン（スプリング、サマー、オータム、ウインター）分類法は、全１６０色のパーソナルカラーを４つのグループに分け、４つのグループの区分(各４０色)に従って被診断者と顔色と対比し、被診断者に調和する色が４つのグループのうちいずれのグループに多く属するかを判断するが、フォーシーズンの象徴としてグループ分けされた各４０色は必ずしも被診断者のイメージを判断するための色として適切なものではなかった。
【００４５】
本発明のスプリングカラー診断用フラッグは、被診断者全６１４名のうち、スプリングと診断された被診断者１２３名において、調和するパーソナルカラーとして出現する確率が高い２３色と新たに追加した２色により構成される計２５色からなる(表１)。
【００４６】
【表１】
2018013409.tif 000003
【００４７】
スプリングカラー診断用フラッグは、マンセル色相５．０ＹＲを中心に色相値が５Ｒ〜５Ｙ、明度２〜９、彩度１〜１４の領域に属する複数の色を呈することを特徴とする(図１２)。
【００４８】
サマーカラー診断用フラッグは、被診断者全６１４名のうち、サマーと診断された被診断者２１５名において、調和するパーソナルカラーとして出現する確率が高い２５色を選出したものである(表２)。
【００４９】
【表２】
2018013409.tif 000004
【００５０】
サマーカラー診断用フラッグは、マンセル色相５．０Ｐを中心に色相値が５Ｂ〜５Ｒ、明度２〜９、彩度１〜１４の領域に属する複数の色を呈することを特徴とする(図１３)。
【００５１】
オータムカラー診断用フラッグは、被診断者全６１４名のうち、オータムと診断された被診断者８１名において、調和するパーソナルカラーとして出現する確率が高い２４色と新たに追加した１色により構成される計２５色からなる(表３)。
【００５２】
【表３】
2018013409.tif 000005
【００５３】
オータムカラー診断用フラッグは、マンセル色相５．０ＹＲを中心に色相値が５Ｒ〜５Ｙ、明度２〜９、彩度１〜１４の領域に属する複数の色を呈することを特徴とする(図１４)。
【００５４】
ウインター診断用フラッグは、被診断者全６１４名のうち、ウインターと診断された被診断者１９５名に対し、調和するパーソナルカラーとして出現する確率が高い２５色を選出したものである(表４)。
【００５５】
【表４】
2018013409.tif 000006
【００５６】
ウインターカラー診断用フラッグは、マンセル色相５．０ＲＰを中心に色相値が５ＰＢ〜５Ｒ、明度２〜９、彩度１〜１４の領域に属する複数の色を呈することを特徴とする(図１５)。
【００５７】
パーソナルカラー診断用フラッグセットを構成する、ブルードミナントカラー診断用フラッグ、イエロードミナントカラー診断用フラッグ、クリアカラー診断用フラッグ、ブライトカラー診断用フラッグ、ミューテッドカラー診断用フラッグ、ディープカラー診断用フラッグ、スプリングカラー診断用フラッグ、サマーカラー診断用フラッグ、オータムカラー診断用フラッグ、ウインターカラー診断用フラッグの１０枚のフラッグのイメージを図１６に示す。
【００５８】
各段階における診断は、いずれも２種類のフラッグを使用し、どちらが被診断者に調和するか（似合うか否か）を二者択一式で診断をするため、迅速かつ的確な診断結果を得ることができる。
【００５９】
パーソナルカラーの診断において使用する２種類のフラッグの組み合わせは１５通りとなる。
「第１段階」
ブルーカラー診断用フラッグ×イエローカラー診断用フラッグ
「第２段階」
イエローカラー診断用フラッグ×スプリングカラー診断用フラッグ
イエローカラー診断用フラッグ×オータムカラー診断用フラッグ
スプリングカラー診断用フラッグ×オータムカラー診断用フラッグ
ブルーカラー診断用フラッグ×サマーカラー診断用フラッグ
ブルーカラー診断用フラッグ×ウインターカラー診断用フラッグ
サマーカラー診断用フラッグ×ウインターカラー診断用フラッグ
「第３段階」
スプリングカラー診断用フラッグ×クリアカラー診断用フラッグ
スプリングカラー診断用フラッグ×ブライトカラー診断用フラッグ
オータムカラー診断用フラッグ×ディープカラー診断用フラッグ
オータムカラー診断用フラッグ×ミューテッドカラー診断用フラッグ
サマーカラー診断用フラッグ×クリアカラー診断用フラッグ
サマーカラー診断用フラッグ×ミューテッドカラー診断用フラッグ
ウインターカラー診断用フラッグ×ブライトカラー診断用フラッグ
ウインターカラー診断用フラッグ×ディープカラー診断用フラッグ
【００６０】
パーソナルカラー診断用フラッグセットを使用したパーソナルカラー診断方法の具体的手順を以下に説明する(図１７)。
【００６１】
「第１段階」
イエローカラー診断用フラッグとブルーカラー診断用フラッグのいずれが被診断者に調和するか判断を行う。
【００６２】
「第２段階」
イエローカラー診断用フラッグが調和すると判断した場合は、イエローカラー診断用フラッグとスプリングカラー診断用フラッグ、イエローカラー診断用フラッグとオータムカラー診断用フラッグを対比する。いずれの対比においてもイエローカラー診断用フラッグが選定されれば、被診断者はイエローカラー診断用フラッグの色がパーソナルカラーとして診断される。イエローカラー診断用フラッグより、スプリングカラー診断用フラッグ、オータムカラー診断用フラッグの方が調和する場合には、スプリングカラー診断用フラッグとオータムカラー診断用フラッグを対比して、より調和するフラッグを選定する。一方、ブルーカラー診断用フラッグが調和すると判断した場合には、サマーカラー診断用フラッグとウインターカラー診断用フラッグを用いて、同様の診断を行う。
【００６３】
「第３段階」
第２段階で、スプリングカラー診断用フラッグとオータムカラー診断用フラッグを対比した結果、スプリングカラー診断用フラッグを選定した場合は、スプリングカラー診断用フラッグとクリアカラー診断用フラッグ、スプリングカラー診断用フラッグとブライトカラー診断用フラッグを対比する。いずれの対比においてもスプリングカラー診断用フラッグが選定されれば、被診断者はスプリングカラー診断用フラッグの色がパーソナルカラーとして診断される。スプリングカラー診断用フラッグより、クリアカラー診断用フラッグ、ブライトカラー診断用フラッグが調和する場合には、クリアカラー診断用フラッグとブライトカラー診断用フラッグを対比して、より調和するフラッグの色をパーソナルカラーとして認定する。一方、第２段階で、イエローカラー診断用フラッグフラッグよりオータムカラー診断用フラッグが調和すると判断した場合は、ミューテッドカラー診断用フラッグとディープカラー診断用フラッグを用いて、同様の診断を行う。
【００６４】
このように各段階を経ることにより被診断者にもっとも調和する１枚のフラッグが選定される。選定されたフラッグの色は被診断者のパーソナルカラーを示す。
【図１】
2018013409.tif 000007
【図２】
2018013409.tif 000008
【図３】
2018013409.tif 000009
【図４】
2018013409.tif 000010
【図５】
2018013409.tif 000011
【図６】
2018013409.tif 000012
【図７】
2018013409.tif 000013
【図８】
2018013409.tif 000014
【図９】
2018013409.tif 000015
【図１０】
2018013409.tif 000016
【図１１】
2018013409.tif 000017
【図１２】
2018013409.tif 000018
【図１３】
2018013409.tif 000019
【図１４】
2018013409.tif 000020
【図１５】
2018013409.tif 000021
【図１６】
2018013409.tif 000022
【図１７】
2018013409.tif 000023
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
１枚ごとに複数の経帯を緯方向に配列した、下記(Ａ)〜(Ｊ)の１０枚のパーソナルカラー診断用フラッグを、被診断者の上半身にあてがうことにより、(Ａ)と(Ｂ)のいずれかを選択する第１段階と、前記第１段階で(Ａ)を選択した場合は、(Ａ)と(Ｄ)と(Ｆ)の内いずれか、又は、前記第１段階で(Ｂ)を選択した場合は、(Ｂ)と(Ｃ)と(Ｅ)の内いずれか、を選択する第２段階と、前記第２段階で(Ｄ)を選択した場合は、(Ｄ)と(Ｇ)と(Ｉ)の内いずれか、前記第２段階で(Ｆ)を選択した場合は、(Ｆ)と(Ｈ)と(Ｊ)の内いずれか、前記第２段階で(Ｃ)を選択した場合は、(Ｃ)と(Ｇ)と(Ｈ)の内いずれか、又は、前記第２段階で(Ｅ)を選択した場合は、(Ｅ)と(Ｉ)と(Ｊ)の内いずれか、を選択する第３段階と、を経る過程で最終的に選択されたパーソナルカラー診断用フラッグに示される複数の色を被診断者のパーソナルカラーとして診断することを特徴とするパーソナルカラー診断方法。
(Ａ)フラッグを構成する複数の経帯が、マンセル表色系において、色相値５ＰＢ〜５Ｐ及び５ＲＰ〜５Ｒ、明度３〜８の領域に属する複数の色を呈するパーソナルカラー診断用フラッグ
(Ｂ)フラッグを構成する複数の経帯が、マンセル表色系において、色相値５Ｒ〜５Ｙ及び５ＧＹ〜５Ｇ、明度３〜８の領域に属する複数の色を呈するパーソナルカラー診断用フラッグ
(Ｃ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｄ)フラッグを構成する複数の経帯が、マンセル表色系において、色相値５Ｂ〜５Ｒ、明度２〜９、彩度１〜１４の領域に属する複数の色を呈するパーソナルカラー診断用フラッグ
(Ｅ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｆ)フラッグを構成する複数の経帯が、マンセル表色系において、色相値５ＰＢ〜５Ｒ、明度２〜９、彩度１〜１４の領域に属する複数の色を呈するパーソナルカラー診断用フラッグ
(Ｇ)フラッグを構成する複数の経帯が、マンセル表色系において、明度５〜９．５、彩度０．５〜１２の領域に属する複数の色を呈するパーソナルカラー診断用フラッグ
(Ｈ)フラッグを構成する複数の経帯が、マンセル表色系において、明度３〜７、彩度５〜１２の領域に属する複数の色を呈するパーソナルカラー診断用フラッグ
(Ｉ)フラッグを構成する複数の経帯が、マンセル表色系において、明度２〜６、彩度１〜６の領域に属する複数の色を呈するパーソナルカラー診断用フラッグ
(Ｊ)フラッグを構成する複数の経帯が、マンセル表色系において、明度１〜４、彩度０〜５の領域に属する複数の色を呈するパーソナルカラー診断用フラッグ
【請求項２】
１枚ごとに複数の経帯を緯方向に配列した、下記(Ａ)〜(Ｊ)の１０枚のパーソナルカラー診断用フラッグを備えた、請求項１に記載するパーソナルカラー診断方法を行うためのパーソナルカラー診断用フラッグセット。
(Ａ)フラッグを構成する複数の経帯が、マンセル表色系において、色相値５ＰＢ〜５Ｐ及び５ＲＰ〜５Ｒ、明度３〜８の領域に属する複数の色を呈するパーソナルカラー診断用フラッグ
(Ｂ)フラッグを構成する複数の経帯が、マンセル表色系において、色相値５Ｒ〜５Ｙ及び５ＧＹ〜５Ｇ、明度３〜８の領域に属する複数の色を呈するパーソナルカラー診断用フラッグ
(Ｃ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｄ)フラッグを構成する複数の経帯が、マンセル表色系において、色相値５Ｂ〜５Ｒ、明度２〜９、彩度１〜１４の領域に属する複数の色を呈するパーソナルカラー診断用フラッグ
(Ｅ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｆ)フラッグを構成する複数の経帯が、マンセル表色系において、色相値５ＰＢ〜５Ｒ、明度２〜９、彩度１〜１４の領域に属する複数の色を呈するパーソナルカラー診断用フラッグ
(Ｇ)フラッグを構成する複数の経帯が、マンセル表色系において、明度５〜９．５、彩度０．５〜１２の領域に属する複数の色を呈するパーソナルカラー診断用フラッグ
(Ｈ)フラッグを構成する複数の経帯が、マンセル表色系において、明度３〜７、彩度５〜１２の領域に属する複数の色を呈するパーソナルカラー診断用フラッグ
(Ｉ)フラッグを構成する複数の経帯が、マンセル表色系において、明度２〜６、彩度１〜６の領域に属する複数の色を呈するパーソナルカラー診断用フラッグ
(Ｊ)フラッグを構成する複数の経帯が、マンセル表色系において、明度１〜４、彩度０〜５の領域に属する複数の色を呈するパーソナルカラー診断用フラッグ
【手続補正２】
【補正対象書類名】明細書
【補正対象項目名】００１０
【補正方法】変更
【補正の内容】
【００１０】
すなわち本発明は、１枚ごとに複数の経帯を緯方向に配列した、下記(Ａ)〜(Ｊ)の１０枚のパーソナルカラー診断用フラッグを、被診断者の上半身にあてがうことにより、(Ａ)と(Ｂ)のいずれかを選択する第１段階と、前記第１段階で(Ａ)を選択した場合は、(Ａ)と(Ｄ)と(Ｆ)の内いずれか、又は、前記第１段階で(Ｂ)を選択した場合は、(Ｂ)と(Ｃ)と(Ｅ)の内いずれか、を選択する第２段階と、前記第２段階で(Ｄ)を選択した場合は、(Ｄ)と(Ｇ)と(Ｉ)の内いずれか、前記第２段階で(Ｆ)を選択した場合は、(Ｆ)と(Ｈ)と(Ｊ)の内いずれか、前記第２段階で(Ｃ)を選択した場合は、(Ｃ)と(Ｇ)と(Ｈ)の内いずれか、又は、前記第２段階で(Ｅ)を選択した場合は、(Ｅ)と(Ｉ)と(Ｊ)の内いずれか、を選択する第３段階と、を経る過程で最終的に選択されたパーソナルカラー診断用フラッグに示される複数の色を被診断者のパーソナルカラーとして診断することを特徴とするパーソナルカラー診断方法である。
(Ａ)フラッグを構成する複数の経帯が、マンセル表色系において、色相値５ＰＢ〜５Ｐ及び５ＲＰ〜５Ｒ、明度３〜８の領域に属する複数の色を呈するパーソナルカラー診断用フラッグ
(Ｂ)フラッグを構成する複数の経帯が、マンセル表色系において、色相値５Ｒ〜５Ｙ及び５ＧＹ〜５Ｇ、明度３〜８の領域に属する複数の色を呈するパーソナルカラー診断用フラッグ
(Ｃ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｄ)フラッグを構成する複数の経帯が、マンセル表色系において、色相値５Ｂ〜５Ｒ、明度２〜９、彩度１〜１４の領域に属する複数の色を呈するパーソナルカラー診断用フラッグ
(Ｅ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｆ)フラッグを構成する複数の経帯が、マンセル表色系において、色相値５ＰＢ〜５Ｒ、明度２〜９、彩度１〜１４の領域に属する複数の色を呈するパーソナルカラー診断用フラッグ
(Ｇ)フラッグを構成する複数の経帯が、マンセル表色系において、明度５〜９．５、彩度０．５〜１２の領域に属する複数の色を呈するパーソナルカラー診断用フラッグ
(Ｈ)フラッグを構成する複数の経帯が、マンセル表色系において、明度３〜７、彩度５〜１２の領域に属する複数の色を呈するパーソナルカラー診断用フラッグ
(Ｉ)フラッグを構成する複数の経帯が、マンセル表色系において、明度２〜６、彩度１〜６の領域に属する複数の色を呈するパーソナルカラー診断用フラッグ
(Ｊ)フラッグを構成する複数の経帯が、マンセル表色系において、明度１〜４、彩度０〜５の領域に属する複数の色を呈するパーソナルカラー診断用フラッグ
【手続補正３】
【補正対象書類名】明細書
【補正対象項目名】００１１
【補正方法】変更
【補正の内容】
【００１１】
さらに本発明は、１枚ごとに複数の経帯を緯方向に配列した、下記(Ａ)〜(Ｊ)の１０枚のパーソナルカラー診断用フラッグを備えた、前記のパーソナルカラー診断方法を行うためのパーソナルカラー診断用フラッグセットである。
(Ａ)フラッグを構成する複数の経帯が、マンセル表色系において、色相値５ＰＢ〜５Ｐ及び５ＲＰ〜５Ｒ、明度３〜８の領域に属する複数の色を呈するパーソナルカラー診断用フラッグ
(Ｂ)フラッグを構成する複数の経帯が、マンセル表色系において、色相値５Ｒ〜５Ｙ及び５ＧＹ〜５Ｇ、明度３〜８の領域に属する複数の色を呈するパーソナルカラー診断用フラッグ
(Ｃ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｄ)フラッグを構成する複数の経帯が、マンセル表色系において、色相値５Ｂ〜５Ｒ、明度２〜９、彩度１〜１４の領域に属する複数の色を呈するパーソナルカラー診断用フラッグ
(Ｅ)フラッグを構成する複数の経帯が、マンセル表色系において、色相値５Ｒ〜５Ｙ、明度２〜９、彩度１〜１４の領域に属する複数の色を呈するパーソナルカラー診断用フラッグ
(Ｆ)フラッグを構成する複数の経帯が、マンセル表色系において、色相値５ＰＢ〜５Ｒ、明度２〜９、彩度１〜１４の領域に属する複数の色を呈するパーソナルカラー診断用フラッグ
(Ｇ)フラッグを構成する複数の経帯が、マンセル表色系において、明度５〜９．５、彩度０．５〜１２の領域に属する複数の色を呈するパーソナルカラー診断用フラッグ
(Ｈ)フラッグを構成する複数の経帯が、マンセル表色系において、明度３〜７、彩度５〜１２の領域に属する複数の色を呈するパーソナルカラー診断用フラッグ
(Ｉ)フラッグを構成する複数の経帯が、マンセル表色系において、明度２〜６、彩度１〜６の領域に属する複数の色を呈するパーソナルカラー診断用フラッグ
(Ｊ)フラッグを構成する複数の経帯が、マンセル表色系において、明度１〜４、彩度０〜５の領域に属する複数の色を呈するパーソナルカラー診断用フラッグ
【手続補正４】
【補正対象書類名】明細書
【補正対象項目名】００１２
【補正方法】変更
【補正の内容】
【００１２】
尚、前記（Ａ）のフラッグは、ブルーカラー診断用フラッグと、前記（Ｂ）のフラッグは、イエローカラー診断用フラッグと、前記（Ｃ）のフラッグは、スプリングカラー診断用フラッグと、前記（Ｄ）のフラッグは、サマーカラー診断用フラッグと、前記（Ｅ）のフラッグは、オータムカラー診断用フラッグと、前記（Ｆ）のフラッグは、ウインターカラー診断用フラッグと、前記（Ｇ）のフラッグは、クリアカラー診断用フラッグと、前記（Ｈ）のフラッグは、ブライトカラー診断用フラッグと、前記（Ｉ）のフラッグは、ミューテッドカラー診断用フラッグと、前記（Ｊ）のフラッグは、ディープカラー診断用フラッグと称することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００５７
【補正方法】変更
【補正の内容】
【００５７】
パーソナルカラー診断用フラッグセットを構成する、ブルーカラー診断用フラッグ、イエローカラー診断用フラッグ、クリアカラー診断用フラッグ、ブライトカラー診断用フラッグ、ミューテッドカラー診断用フラッグ、ディープカラー診断用フラッグ、スプリングカラー診断用フラッグ、サマーカラー診断用フラッグ、オータムカラー診断用フラッグ、ウインターカラー診断用フラッグの１０枚のフラッグのイメージを図１６に示す。